(57)【要約】【課題】  可動端子を組み付け易くしたスイッチ付ラッチを提供する。【解決手段】  可動部材４１をコイルスプリング６１の付勢力に抗してハウジング１１内へ押し込むと、ロック機構で可動部材を押し込み位置にロックしてスイッチがオンし、再度可動部材をコイルスプリングの付勢力に抗してハウジング内へ押し込むと、ロック機構がアンロック状態になって可動部材をコイルスプリングの付勢力で突出位置へ復帰し、スイッチがオフするスイッチ付ラッチＬにおいて、スイッチを、可動部材に取り付けられ、可動部材の対向する２側面から両端部が突出するピン８１と、ハウジングの対向する内側に固定され、可動部材が突出位置のときにピンの両端部が接触して導通状態となり、可動部材が押し込み位置のときにピンの両端部が非接触となって非導通状態となる一対の固定端子３１とで構成し、ピンを、ハウジングの側面に設けた可動端子挿通孔１５から組み込む。【選択図】    図３
2005129248.tif 000002
【特許請求の範囲】
【請求項１】
ハウジングから一部が突出する突出位置へ付勢部材で付勢されている可動部材を、前記付勢部材の付勢力に抗して前記ハウジング内へ押し込むことにより、プッシュ・プッシュ式のロック機構がロック状態になって前記可動部材を押し込み位置にロックするとともに、スイッチがオンまたはオフし、前記押し込み位置の前記可動部材を前記付勢部材の付勢力に抗して前記ハウジング内へ押し込むことにより、前記ロック機構がアンロック状態になって前記可動部材を前記付勢部材の付勢力で前記突出位置へ復帰させるとともに、前記スイッチがオフまたはオンするスイッチ付ラッチにおいて、
前記スイッチを、前記可動部材に取り付けられ、前記可動部材の対向する２側面から両端部が突出するピンからなる可動端子と、前記ハウジングの対向する内側に固定され、前記可動部材が突出位置のときに前記可動端子の両端部が非接触となって非導通状態または接触して導通状態となり、前記可動部材が押し込み位置のときに前記可動端子の両端部が接触して導通状態または非接触となって非導通状態となる一対の固定端子とで構成し、
前記可動端子を、前記ハウジングの側面に設けた可動端子挿通孔から組み込む、
ことを特徴とするスイッチ付ラッチ。
【請求項２】
請求項１のスイッチ付ラッチにおいて、
前記可動端子が前記可動部材に対して回転可能である、
ことを特徴とするスイッチ付ラッチ。
【請求項３】
請求項１または請求項２のスイッチ付ラッチにおいて、
前記可動端子の断面形状が円形である、
ことを特徴とするスイッチ付ラッチ。
【発明の詳細な説明】
【技術分野】
【０００１】
この発明は、例えば、ラジオカセットの扉などの開閉部材を押して閉じ、この閉じた開閉部材を再度押して開けるため、本体などの被取付部材に取り付けられるラッチに、スイッチを設けたスイッチ付ラッチに関するものである。
【背景技術】
【０００２】
従来のスイッチ付ラッチは、ハウジングから一部が突出する突出位置へ付勢部材で付勢されている可動部材を、付勢部材の付勢力に抗してハウジング内へ押し込むことにより、プッシュ・プッシュ式のロック機構がロック状態になって可動部材を押し込み位置にロックするとともに、スイッチがオンし、押し込み位置の可動部材を付勢部材の付勢力に抗してハウジング内へ押し込むことにより、ロック機構がアンロック状態になって可動部材を付勢部材の付勢力で突出位置へ復帰させるとともに、スイッチがオフするように構成されている。
【特許文献１】実開平７−１４０６２号公報
【発明の開示】
【発明が解決しようとする課題】
【０００３】
上記したスイッチ付ラッチは、ハウジングに固定された固定端子と、この固定端子に対して接離するとともに、固定端子に対して摺接するブラシ形状の弾性を有した可動端子とで構成されている。
この可動端子は、金属薄板に切断加工、曲げ加工を施すことによって製造するので、高価（コスト高）になる。
したがって、スイッチ付ラッチが高価になる。
【０００４】
この発明は、可動端子をピンとすることにより、可動端子を安価に製造することができるとともに、可動端子を組み付け易くしたスイッチ付ラッチを提供するものである。
【課題を解決するための手段】
【０００５】
この発明は、以下のような発明である。
（１）ハウジングから一部が突出する突出位置へ付勢部材で付勢されている可動部材を、前記付勢部材の付勢力に抗して前記ハウジング内へ押し込むことにより、プッシュ・プッシュ式のロック機構がロック状態になって前記可動部材を押し込み位置にロックするとともに、スイッチがオンまたはオフし、前記押し込み位置の前記可動部材を前記付勢部材の付勢力に抗して前記ハウジング内へ押し込むことにより、前記ロック機構がアンロック状態になって前記可動部材を前記付勢部材の付勢力で前記突出位置へ復帰させるとともに、前記スイッチがオフまたはオンするスイッチ付ラッチにおいて、前記スイッチを、前記可動部材に取り付けられ、前記可動部材の対向する２側面から両端部が突出するピンからなる可動端子と、前記ハウジングの対向する内側に固定され、前記可動部材が突出位置のときに前記可動端子の両端部が非接触となって非導通状態または接触して導通状態となり、前記可動部材が押し込み位置のときに前記可動端子の両端部が接触して導通状態または非接触となって非導通状態となる一対の固定端子とで構成し、前記可動端子を、前記ハウジングの側面に設けた可動端子挿通孔から組み込むことを特徴とする。
（２）（１）のスイッチ付ラッチにおいて、前記可動端子が前記可動部材に対して回転可能であることを特徴とする。
（３）（１）または（２）のスイッチ付ラッチにおいて、前記可動端子の断面形状が円形であることを特徴とする。
【発明の効果】
【０００６】
この発明によれば、スイッチを、可動部材に取り付けられ、可動部材の対向する２側面から両端部が突出するピンからなる可動端子と、ハウジングの対向する内側に固定され、可動部材が突出位置のときに可動端子の両端部が非接触となって非導通状態または接触して導通状態となり、可動部材が押し込み位置のときに可動端子の両端部が接触して導通状態または非接触となって非導通状態となる一対の固定端子とで構成したので、可動端子を安価に製造することができることにより、スイッチ付ラッチを安価に製造することができ、また、可動端子は付勢部材で常時ハウジングから突出する方向へ付勢され、この付勢された状態で固定端子に接触するため、可動端子と固定端子との接触不良が発生しにくく、スイッチの信頼性を確保することができる。
また、可動端子を、ハウジングの側面に設けた可動端子挿通孔から組み込めるようにしたので、可動端子が組み付け易くなり、組立作業を作業性よく行うことができる。
そして、可動端子を可動部材に対して回転可能にしたので、一対の固定端子と接触する可動端子の部分が変わることにより、スイッチの信頼性を確保することができる。
さらに、可動端子の断面形状を円形にしたので、固定端子と可動端子との接触状態を安定させ、スイッチの信頼性を確保することができる。
【発明を実施するための最良の形態】
【０００７】
図１はこの発明の第１実施例であるスイッチ付ラッチの正面側からの斜視図、図２は図１に示したスイッチ付ラッチの裏面側からの斜視図、図３は図１および図２に示したスイッチ付ラッチの分解斜視図である。
【０００８】
これらの図において、Ｌはスイッチ付ラッチを示し、一側面（右側面）が開放した箱状のハウジング１１と、このハウジング１１内に固定される一対の固定端子３１と、ハウジング１１内へ挿入される可動部材４１と、この可動部材４１に回動可能に取り付けられる係止部材５１と、この係止部材５１とハウジング１１との間に装填され、係止部材５１を介して可動部材４１をハウジング１１から突出する方向へ付勢する付勢部材としてのコイルスプリング６１と、ハウジング１１に取り付けられるガイドレバー７１と、可動部材４１に取り付けられて係止部材５１の回動支軸となるとともに、固定端子３１に対して接離する、断面形状が円形をした可動端子としてのピン８１とで構成されている。
【０００９】
図４は図３に示したハウジングの平面図、図５は図３に示したハウジングの正面図、図６は図３に示したハウジングの底面図、図７は図３に示したハウジングの右側面図、図８は図４のＡ−Ａ線による断面図、図９は図５のＢ−Ｂ線による断面図である。
なお、以後の説明の上下左右および前後は、各部材の正面図におけるものとする。
【００１０】
これらの図において、合成樹脂で成形されたハウジング１１は、右側面（右側面壁：一端面）が開口部となるように、正面壁１２ｆ、裏面壁１２ｂ、天井壁１２ｕ、底壁１２ｄ、左側面壁１２ｌからなる箱部１２と、この箱部１２の右側に連設され、箱部１２の前後、上下に周回して突出した右側面視矩形状の枠部２３とで構成されている。
なお、天井壁１２ｕの左側は、正面壁１２ｆ側および裏面壁１２ｂ側が正面壁１２ｆおよび裏面壁１２ｂの高さの、例えば、１／３位垂下した後に水平となっている。
また、底壁１２ｄの左側は、右側から左側へ正面壁１２ｆおよび裏面壁１２ｂの高さの、例えば、１／４位傾斜しながら上昇した後に水平となっている。
【００１１】
そして、箱部１２には、天井壁１２ｕおよび底壁１２ｄの枠部２３側寄りに、左側面壁１２ｌ側から右（枠部２３）側へ延び、枠部２３とで被取付部材を挟持する弾性挟持片１３がそれぞれ設けられ、左側面壁１２ｌの固定端子３１の左端部分を挿通するための端子挿入孔１４が正面壁１２ｆ寄りと裏面壁１２ｂ寄りとにそれぞれ設けられ、正面壁１２ｆおよび裏面壁１２ｂの同じ位置にピン８１を挿通するための可動端子挿通孔１５がそれぞれ設けられている。
【００１２】
さらに、箱部１２には、正面壁１２ｆおよび裏面壁１２ｂの内側の下側に、可動部材４１の被ガイド部４３をガイドするガイド溝１６がそれぞれ水平に設けられ、天井壁１２ｕの正面壁１２ｆ寄りと裏面壁１２ｂ寄りとに、係止部材５１を回動させるためのカム突起１７がそれぞれ設けられている。
そして、箱部１２には、天井壁１２ｕの垂下した部分の内側に、コイルスプリング６１を位置決めするばね受け１８が枠部２３側へ水平に設けられている。
【００１３】
さらに、箱部１２には、ガイドレバー７１を取り付けるガイドレバー取付部１９が設けられている。
このガイドレバー取付部１９は、底壁１２ｂの傾斜部分に設けられた、ガイドレバー７１のアーム部７３およびトレース部７４を挿入するための挿入孔２０と、ガイドレバー７１を回動可能に位置決めする凹部２１と、この凹部２１内へガイドレバー７１の軸部７２を回動可能に押圧する弾性押圧片２２とで構成されている。
【００１４】
そして、枠部２３には、箱部１２の正面壁１２ｆおよび裏面壁１２ｂに対応する部分に、固定端子３１の右端部分が挿入される、上下方向へ扁平な矩形状の端子挿入孔２４と、この端子挿入孔２４に挿入した固定端子３１の係合孔３４ａ内へ入り、固定端子３１の移動を規制する係止突起２５とが設けられている。
なお、可動端子挿通孔１５の位置は、可動部材４１の可動端子挿入孔４７、および、係止部材５１の可動端子挿入孔５６に対応させて設けられている。
【００１５】
図１０は図３に示した固定端子の平面図、図１１は図３に示した固定端子の正面図、図１２は図３に示した固定端子の右側面図である。
【００１６】
これらの図において、３１は導電性を有した金属板をプレス加工して形成した固定端子を示し、ハウジング１１の端子挿入孔１４からハウジング１１外へ左端部分が突出する直角に折り曲げられた接続部３２と、この接続部３２にクランク状に連なる平板部３３と、この平板部３３の右端に直角に折り曲げられて連なり、ハウジング１１の端子挿入孔２４内へ挿入される係合部３４とで構成されている。
なお、一対の固定端子３１は、図１０において、固定端子３１で挟まれる水平面で対称に形成されている。
【００１７】
そして、平板部３３には、ピン８１が縁に接離する切欠部としての端子孔３３ａが設けられ、また、係合部３４には、ハウジング１１の係止突起２５が縁に係合する係合孔３４ａが、平板部３３の右端部分まで延ばして設けられている。
なお、端子孔３３ａは、横長の矩形の右側に頂部が丸められた二等辺三角形が連なる形状とされている。
そして、端子孔３３ａの矩形の右側辺の長さは、二等辺三角形の底辺の長さと同じにされている。
【００１８】
図１３は図３に示した可動部材の平面図、図１４は図３に示した可動部材の正面図、図１５は図３に示した可動部材の底面図、図１６は図３に示した可動部材の右側面図、図１７は図３に示した可動部材の左側面図、図１８は図１３のＣ−Ｃ線による断面図である。
【００１９】
これらの図において、４１は合成樹脂で成形された可動部材を示し、上面と左側面とが開放するように、正面壁４２ｆ、裏面壁４２ｂ、底壁４２ｄ、右側面壁４２ｒで開放箱部４２に形成されている。
なお、正面壁４２ｆ、裏面壁４２ｂおよび右側面壁４２ｒの右下は、矩形状に切り欠かれている。
そして、可動部材４１には、正面壁４２ｆおよび裏面壁４２ｂの右下端外面に、正面壁４２ｆおよび裏面壁４２ｂの外側へ突出し、ハウジング１１のガイド溝１６で案内される被ガイド部４３と、底壁４２ｄの左側上面に、コイルスプリング６１の右側を座屈しないように保持するコイルスプリング保持部４４とが設けられている。
【００２０】
さらに、可動部材４１には、底面壁４２ｄの下側に正面側と裏面側とへ向けて、ガイドレバー７１のトレース部７４を係止されるカム凹部４５ａを有するハートカム４５と、ガイドレバー７１のトレース部７４をハートカム４５のカム凹部４５ａに係合していない状態からハートカム４５のカム凹部４５ａへ係合するように案内する第１カム４６Ａおよび第２カム４６Ｂと、ハートカム４５のカム凹部４５ａに係合しているガイドレバー７１のトレース部７４を元の状態（ハートカム４５のカム凹部４５ａに係合しない状態）へ案内する第３カム４６Ｃおよび第４カム４６Ｄとが設けられている。
また、可動部材４１には、ハウジング１１の可動端子挿通孔１５に対応させて正面壁４２ｆおよび裏面壁４２ｂに、ピン８１が挿入される左右に長孔とされた可動端子挿入孔４７が設けられている。
【００２１】
図１９は図３に示した係止部材の平面図、図２０は図３に示した係止部材の正面図、図２１は図３に示した係止部材の底面図、図２２は図３に示した係止部材の左側面図である。
【００２２】
これらの図において、５１は合成樹脂で成形された係止部材を示し、本体５２と、この本体５２の下側前端に突出させて設けられ、後述するストライカＳの係合部ｔが係合する係止部５３と、本体５２の左端の前後から左側へ平行に延びた弾性脚部５４と、この一対の弾性脚部５４の左端の外側（前後）に設けられ、ハウジング１１のカム突起１７に沿って移動するトレース部５５と、一対の弾性脚部５４の左右方向の中央部分よりも右側に設けられ、ハウジング１１の可動端子挿通孔１５および可動部材４１の可動端子挿通孔４７に対応する、ピン８１が挿入される可動端子挿入孔５６と、本体５２の左端の前後方向の中央部分から左側へ延び、コイルスプリング６１の右端を位置決めするばね受け５７とで構成されている。
【００２３】
なお、ばね受け５７は、一対の可動端子挿入孔５６よりも上側に設けられている。
したがって、係止部材５１は、コイルスプリング６１により、正面から見ていつも時計方向へ回動するように付勢され、トレース部５５がハウジング１１のカム突起１７に当接する。
【００２４】
図３において、７１はガイドレバーを示し、水平に前後方向へ延びる軸部７２の前端および後端に右側へアーム部７３が平行に連なるように金属棒を平面視コ字状に折り曲げ、２つのアーム部７３の開放した先端部分同士をそれぞれ内側へ、可動部材４１のハートカム４５、第１〜第４カム４６Ａ〜４６Ｄで案内されるように折り曲げてトレース部７４としたものである。
【００２５】
図３において、８１は可動端子としてのピンを示し、断面円形の導電性を有した金属棒に導電性のメッキを施したもので、長さが、可動部材４１の前後方向の長さよりも長く、ハウジング１１の内側に配置される各固定端子３１の前後方向の外側の間隔よりも僅かに短くされている
そして、ピン８１は、可動部材４１の可動端子挿入孔４７および係止部材５１の可動端子挿入孔５６に回転可能に取り付けられる。
【００２６】
この第１実施例のスイッチ付ラッチＬにおいて、スイッチは、一対の固定端子３１と、ピン８１とで構成されている。
また、ロック機構は、可動部材４１のハートカム４５と、第１〜第４カム４６Ａ〜４６Ｄと、ガイドレバー７１とで構成されている。
【００２７】
図２３〜図２８はこの発明の第１実施例であるスイッチ付ラッチの動作説明図であり、図２３は主にロック機構の動作を示す正断面図に相当する説明図、図２４は主に係止部材の動作を示す正断面図に相当する説明図、図２５はスイッチの状態を示す説明図、図２６は主にロック機構の動作を示す正断面図に相当する説明図、図２７は主に係止部材の動作を示す正断面図に相当する説明図、図２８はスイッチの状態を示す説明図である。
【００２８】
これらの図において、Ｓは扉などの開閉部材に設けられているストライカを示し、係止部材５１の係止部５３に係合する係合部ｔが、左端に設けられている。
【００２９】
次に、スイッチ付ラッチＬの組立の一例について説明する。
まず、各固定端子３１の接続部３２左端をハウジング１１の対応する端子挿入孔１４に対応させて挿入するとともに、各固定端子３１の係合部３４を枠部２３の端子挿入孔２４へ挿入すると、各係合部３４の係合孔３４ａ内へ枠部２３の係止突起２５が突入し、係合孔３４ａの縁と係合することにより、一対の固定端子３１をハウジング１１内の対向する内側（正面壁１２ｆの内側と裏面壁１２ｂの内側）に固定できる。
この状態で、ハウジング１１の可動端子挿通孔１５は、固定端子３１の端子孔３３ａに連通し、端子孔３３ａの上下方向の中間、すなわち、端子孔３３ａの三角形の丸められた頂部の高さに対応した位置となる。
【００３０】
そして、可動部材４１の開放箱部４２内に係止部材５１を挿入する。
次に、コイルスプリング６１の左端内へハウジング１１のばね受け１８を挿入し、コイルスプリング６１の右端側を可動部材４１のコイルスプリング保持部４４内へ挿入した後、このコイルスプリング６１の右端内へ係止部材５１のばね受け５７を挿入する。
この状態で開放箱部４２内から係止部材５１が突出しないように把持すると、係止部材５１の可動端子挿入孔５６が可動部材４１の可動端子挿入孔４７に臨んだ状態となる。
【００３１】
上記の状態で、可動部材４１の各被ガイド部４３をそれぞれハウジング１１のガイド溝１６に対応させ、可動部材４１および係止部材５１をハウジング１１内へ挿入する。
そして、可動部材４１および係止部材５１をハウジング１１内へ挿入し、ハウジング１１の可動端子挿通孔１５に可動部材４１の可動端子挿入孔４７および係止部材５１の可動端子挿入孔５６を連通させ、ピン８１を一方の可動端子挿通孔１５から可動端子挿入孔４７、可動端子挿入孔５６、可動端子挿入孔５６、可動端子挿入孔４７へ挿入し、ピン８１の両端を一対の固定端子３１の外側へ突出しない状態にする。
【００３２】
この状態で、可動部材４１をハウジング１１内へ押し込む力を解除すると、コイルスプリング６１の付勢力で可動部材４１はハウジング１１から突出する方向へ付勢され、ピン８１が固定端子３１に設けられた端子孔３３ａの丸められた三角形の頂部の縁に当接することにより、可動部材４１がハウジング１１から抜け出るのを阻止される。
このように、可動部材４１がピン８１によってハウジング１１から抜け出るのを阻止された状態では、係止部材５１の一対のトレース部５５がハウジング１１のカム突起１７の下側平坦部に当接し、係止部５３が、図２３および図２４に示すように、ストライカＳの係合部ｔに係合しない後退位置へ後退している。
そして、一対の固定端子３１はピン８１によって導通し、スイッチは、図２５に示すように、オン状態となる。
【００３３】
次に、ガイドレバー７１のトレース部７４側をハウジング１１の左側面壁１２ｌ側へ向け、可動部材４１の下端部分を挟持するように各トレース部７４を第１カム４６Ａと第４カム４６Ｄとの間へ挿入するとともに、軸部７２を凹部２１内へ挿入すると、弾性押圧片２２は、軸部７２が通過した後に自身の弾性で元の状態へ復帰するので、ガイドレバー７１を抜け出ないように取り付けることができるとともに、ガイドレバー７１は凹部２１内で回動可能となり、図２３〜図２５に示すように、スイッチ付ラッチＬを組み立てることができる。
【００３４】
次に、スイッチ付ラッチＬの取付の一例について説明する。
まず、箱部１２の左側面壁１２ｌ側を被取付部材、例えば、ラジオカセットの扉の回動端に対応させて本体に設けたブラケットの取付孔に対応させ、スイッチ付ラッチＬを左側面壁１２ｌ側から取付孔内へ挿入するとともに、押し込むと、取付孔の縁で各弾性挟持片１３が押されることによって内側へ撓むので、箱部１２を取付孔内へ押し込むことができる。
【００３５】
そして、枠部２３がブラケットの一面に当接すると、各弾性挟持片１３がブラケットの裏側へ突出し、自身の弾性で元の状態へ復帰するので、各弾性挟持片１３がブラケットの裏面側の取付孔の周縁に係合する。
したがって、スイッチ付ラッチＬは、弾性挟持片１３と枠部２３とでブラケットを挟持した状態でブラケットに取り付けられる。
【００３６】
次に、スイッチ付ラッチＬの動作について説明する。
まず、図２３および図２４のように組み立てられた状態、すなわち、可動部材４１が突出位置に位置する状態においては、図２５に示すように、コイルスプリング６１の付勢力で付勢された可動部材４１を介したピン８１の両端が各固定端子３１に接触することにより、スイッチはオン状態である。
この状態で、可動部材４１の右側面壁４２ｒがストライカＳで押され、コイルスプリング６１の付勢力に抗して可動部材４１がハウジング１１内へ押し込まれると、コイルスプリング６１の付勢力でカム突起１７の下側平坦部に押圧された係止部材５１のトレース部５５がカム突起１７の上昇面をトレースすることにより、係止部材５１が、図２６および図２７に示すように、時計方向へ回動し、係止部５３がストライカＳの係合部ｔに係合可能な状態へ前進（下降）する。
【００３７】
そして、可動部材４１がハウジング１１内へ押し込まれると、ガイドレバー７１の各トレース部７４は、図２３における対応したハートカム４５の下側をトレースするように揺動して第２カム４６Ｂで持ち上げられることにより、可動部材４１がハウジング１１の最深部まで押し込まれ、各トレース部７４はハートカム部４５設けられた先端（右端）のカム面と対向する。
この状態で、ストライカＳを介して可動部材４１をハウジング１１内へ押し込む力を解除すると、コイルスプリング６１によって可動部材４１がハウジング１１から突出する方向へ付勢される。
したがって、各トレース部７４がハートカム４５の先端のカム面で誘導され、図２６に示すように、各トレース部７４が対応するカム凹部４５ａと係合することにより、ロック機構がロック状態となり、可動部材４１を押し込み位置にロックさせる。
【００３８】
なお、図２３に示す状態から図２６に示す状態まで可動部材４１がハウジング１１内へ押し込まれる過程において、ピン８１の両端は固定端子３１に接触せず、端子孔３３ａ内を移動する。
したがって、図２８に示すように、可動部材４１が押し込み位置にロックされた状態では、ピン８１の両端は各固定端子３１と非接触状態となり、スイッチがオフ状態になる。
【００３９】
このロック機構がロックした状態で、ストライカＳを介して可動部材４１をハウジング１１内へコイルスプリング６１の付勢力に抗して再度押し込むと、各トレース部７４は、図２６において、第３カム３６Ｃで案内され、ロック機構がアンロック状態になる。
したがって、ロック機構のアンロック状態で、ストライカＳを介して可動部材４１をハウジング１１内へ押し込む力を解除すると、コイルスプリング６１の付勢力によって可動部材４１がハウジング１１から突出する方向へ付勢され、可動部材４１は、図２３〜図２５に示す突出位置へ復帰する。
【００４０】
このように可動部材４１が突出位置へ復帰する過程で、各トレース部７４はハートカム４５の上側をトレースした後に第４カム４６Ｄで案内されて図２３の元の位置へ復帰し、また、トレース部５５がカム突起１７の下降面から下側平坦部をトレースすることにより、係止部材５１が反時計方向へ回動し、係止部５３がストライカＳの係合部ｔに係合不可能な図２４に示す状態へ後退（上昇）する。
そして、可動部材４１が突出位置へ復帰すると、図２５に示すように、コイルスプリング６１で付勢された可動部材４１を介したピン８１の両端が各固定端子３１に接触することにより、スイッチがオン状態になる。
【００４１】
上述したように、この発明の第１実施例によれば、スイッチを、可動部材４１に取り付けられ、可動部材４１の対向する２側面から両端部が突出するピン（可動端子）８１と、ハウジング１１の対向する内側に固定され、ピン８１が突出位置のときにピン８１の両端部が接触して導通状態となり、可動部材４１が押し込み位置のときにピン８１の両端部が非接触となって非導通状態となる一対の固定端子３１とで構成したので、ピン（可動端子）８１を安価に製造することができることにより、スイッチ付ラッチＬを安価に製造することができる。
また、ピン８１はコイルスプリング６１で常時ハウジング１１から突出する方向へ付勢され、この付勢された状態で固定端子３１に接触するため、ピン８１と固定端子３１との接触不良が発生しにくく、スイッチの信頼性を確保することができる。
【００４２】
そして、ピン８１を、ハウジング１１の側面に設けた可動端子挿通孔１５から組み込めるようにしたので、ピン（可動端子）８１が組み付け易くなり、組立作業を作業性よく行うことができる。
さらに、ピン８１を可動部材４１に対して回転可能にしたので、一対の固定端子３１と接触するピン８１の部分が変わることにより、スイッチの信頼性を確保することができる。
そして、ピン８１の断面形状を円形にしたので、固定端子３１とピン８１との接触状態を安定させ、スイッチの信頼性を確保することができる。
さらに、係止部材４１の回動支軸をピン８１に兼用させたので、部品点数を少なくできるとともに、組立工数を少なくすることができる。
【００４３】
図２９はこの発明の第２実施例であるスイッチ付ラッチを構成する固定端子の斜視図、図３０は図２９に示した固定端子の正面図であり、図１〜図２８と同一または相当部分に同一符号を付し、その説明を省略する。
なお、この固定端子を使用するスイッチ付ラッチの他の構成部品は、ハウジングの一部と、可動部材の一部とを除いて第１実施例と同一である。
【００４４】
これらの図において、３１Ａは導電性を有した金属平板をプレス加工して形成した固定端子を示し、ハウジング１１の端子挿入孔１４からハウジング１１外へ左端部分が突出する直角に折り曲げられた接続部３２と、この接続部３２にクランク状に連なる平板部３３Ａと、この平板部３３Ａの右端に直角に折り曲げて連なり、ハウジング１１の端子挿入孔２４内へ挿入される係合部３４とで構成されている。
そして、平板部３３Ａには、通過するピン８１に接離する、弾性を有した接触部３３ｃが上下に対向させて切欠部としての係合端子孔３３ｃへ突出するように、平板部３３Ａと同一平面に設けられている。
【００４５】
なお、一対の固定端子３１Ａは、固定端子３１で挟まれた面で対称に形成されている。
そして、可動部材４１のハウジング１１からの抜け防止と、可動部材４１の突出位置でスイッチをオフ（非導通）状態にするため、例えば、ハウジング１１に左右方向の孔を設け、可動部材４１にハウジング１１のガイド孔内を移動する被ガイド突起を設け、可動部材４１の被ガイド突起がハウジング１１のガイド孔の右端の縁に衝合した状態で、可動部材４１がハウジング１１から抜けるのを防止するとともに、ピン８１が固定端子３１から離れてオフ（非導通）状態となるように、ハウジング１１と可動部材４１とが構成されている。
【００４６】
この第２実施例の組立方、取付方は、第１実施例と同様になるので、その説明を省略する。
そして、この第２実施例の、第１実施例と異なる動作についてのみ説明する。
上記したように、可動部材４１が突出位置に位置する状態では、図３０に点線で示すように、ピン８１が一対の固定端子３１Ａと非接触状態となり、スイッチがオフ状態になる。
しかし、可動部材４１がハウジング１１内へ押し込まれて押し込み位置にロックされると、図３０に実線で示すように、ピン８１が一対の固定端子３１Ａと接触状態となり、スイッチがオン状態になる。
【００４７】
したがって、この第２実施形態のスイッチ付ラッチＬにおいても、第１実施例のスイッチ付ラッチＬと同様な効果を得ることができる。
【００４８】
上記した実施例では、ハウジング１１の対向する側面にピン８１を挿入して組み込む可動端子挿通孔１５を設けた例を示したが、ピン８１が可動端子挿通孔１５から抜け出る可能性がある場合は、可動端子挿通孔１５の径を、ピン８１を圧入する大きさにしてピン８１を抜けにくくしたり、片方の可動端子挿通孔１５を省略してピン８１を抜けにくくするとよい。
また、可動部材４１にコイルスプリング保持部４４を設けてコイルスプリング６１の座屈を防止する例を示したが、コイルスプリング保持部を、上方部分を取り除いて左側面視Ｕ字状に形成し、このコイルスプリング保持部とハウジング１１の天井壁１２ｕとでコイルスプリング６１の座屈を防止してもよい。
さらに、回動する係止部材５１でストライカＳを係止する例を示したが、可動部材の右端に対向させてヒンジを介して挟持片を設け、可動部材がハウジング内へ押し込まれるときにハウジングの内側で挟持片が内側へ押されて互いに近づく方向へヒンジの部分で回動し、ストライカを挟持する構成としてもよい。
この場合、可動端子挿入孔４７は、ピン８１が回転できる径の孔とするのが望ましい。
【産業上の利用可能性】
【００４９】
この発明のスイッチ付ラッチをラジオカセットに取り付けた例で説明したが、開閉扉を有する他の機器、押し込み位置と突出位置との間を移動する移動体を有する機器、例えば、自動車の灰皿、小物入れ、または、住宅設備などにも適用できる。
【図面の簡単な説明】
【００５０】
【図１】この発明の第１実施例であるスイッチ付ラッチの正面側からの斜視図である。
【図２】図１に示したスイッチ付ラッチの裏面側からの斜視図である。
【図３】図１および図２に示したスイッチ付ラッチの分解斜視図である。
【図４】図３に示したハウジングの平面図である。
【図５】図３に示したハウジングの正面図である。
【図６】図３に示したハウジングの底面図である。
【図７】図３に示したハウジングの右側面図である。
【図８】図４のＡ−Ａ線による断面図である。
【図９】図５のＢ−Ｂ線による断面図である。
【図１０】図１０は図３に示した固定端子の平面図である。
【図１１】図３に示した固定端子の正面図である。
【図１２】図３に示した固定端子の右側面図である。
【図１３】図３に示した可動部材の平面図である。
【図１４】図３に示した可動部材の正面図である。
【図１５】図３に示した可動部材の底面図である。
【図１６】図３に示した可動部材の右側面図である。
【図１７】図３に示した可動部材の左側面図である。
【図１８】図１３のＣ−Ｃ線による断面図である。
【図１９】図３に示した係止部材の平面図である。
【図２０】図３に示した係止部材の正面図である。
【図２１】図３に示した係止部材の底面図である。
【図２２】図３に示した係止部材の左側面図である。
【図２３】この発明の第１実施例であるスイッチ付ラッチの動作説明図である。
【図２４】この発明の第１実施例であるスイッチ付ラッチの動作説明図である。
【図２５】この発明の第１実施例であるスイッチ付ラッチの動作説明図である。
【図２６】この発明の第１実施例であるスイッチ付ラッチの動作説明図である。
【図２７】この発明の第１実施例であるスイッチ付ラッチの動作説明図である。
【図２８】この発明の第１実施例であるスイッチ付ラッチの動作説明図である。
【図２９】この発明の第２実施例であるスイッチ付ラッチを構成する固定端子の斜視図である。
【図３０】図２９に示した固定端子の正面図である。
【符号の説明】
【００５１】
Ｌ      スイッチ付ラッチ
１１    ハウジング
１２    箱部
１２ｆ  正面壁
１２ｂ  裏面壁
１２ｕ  天井壁
１２ｄ  底壁
１２ｌ  左側面壁
１３    弾性挟持片
１４    端子挿入孔
１５    可動端子挿通孔
１６    ガイド溝
１７    カム突起
１８    ばね受け
１９    ガイドレバー取付部
２０    挿入孔
２１    凹部
２２    弾性押圧片
２３    枠部
２４    端子挿入孔
２５    係止突起
３１    固定端子
３１Ａ  固定端子
３２    接続部
３３    平板部
３３Ａ  平板部
３３ａ  端子孔（切欠部）
３３ｂ  係合端子孔（切欠部）
３３ｃ  接触部
３４    係合部
３４ａ  係合孔
４１    可動部材
４２    開放箱部
４２ｆ  正面壁
４２ｂ  裏面壁
４２ｄ  底壁
４２ｒ  右側面壁
４３    被ガイド部
４４    コイルスプリング保持部
４５    ハートカム
４５ａ  カム凹部
４６Ａ  第１カム
４６Ｂ  第２カム
４６Ｃ  第３カム
４６Ｄ  第４カム
４７    可動端子挿入孔
５１    係止部材
５２    本体
５３    係止部
５４    弾性脚部
５５    トレース部
５６    可動端子挿入孔
５７    ばね受け
６１    コイルスプリング（付勢部材）
７１    ガイドレバー
７２    軸部
７３    アーム部
７４    トレース部
８１    ピン（可動端子）
Ｓ      ストライカ
ｔ      係合部
【図１】
2005129248.tif 000003
【図２】
2005129248.tif 000004
【図３】
2005129248.tif 000005
【図４】
2005129248.tif 000006
【図５】
2005129248.tif 000007
【図６】
2005129248.tif 000008
【図７】
2005129248.tif 000009
【図８】
2005129248.tif 000010
【図９】
2005129248.tif 000011
【図１０】
2005129248.tif 000012
【図１１】
2005129248.tif 000013
【図１２】
2005129248.tif 000014
【図１３】
2005129248.tif 000015
【図１４】
2005129248.tif 000016
【図１５】
2005129248.tif 000017
【図１６】
2005129248.tif 000018
【図１７】
2005129248.tif 000019
【図１８】
2005129248.tif 000020
【図１９】
2005129248.tif 000021
【図２０】
2005129248.tif 000022
【図２１】
2005129248.tif 000023
【図２２】
2005129248.tif 000024
【図２３】
2005129248.tif 000025
【図２４】
2005129248.tif 000026
【図２５】
2005129248.tif 000027
【図２６】
2005129248.tif 000028
【図２７】
2005129248.tif 000029
【図２８】
2005129248.tif 000030
【図２９】
2005129248.tif 000031
【図３０】
2005129248.tif 000032